(57)【要約】【課題】単位容積当たりの積載個数を多くでき、荷崩れを起こすことなく積層状態で輸送や保管できる梱包箱を提供する。【解決手段】断面が正六角形状の３つの筒体１１，１２，１３を並んだ状態で連結し、筒体１２と筒体１３とを６つの稜線の内１つの稜線２１で連結し、且つその稜線２１にはミシン目Ｍを形成する。そして、筒体１２の稜線２１と隣り合う稜線２２に切込み１５ａ，１５ｂを形成し、筒体１３の稜線２１と隣り合う稜線２３には、切込み１５ａ，１５ｂと対応する位置にフラップ１４ａ，１４ｂを形成する。通常は、筒体１３のフラップ１４ａ，１４ｂを筒体１２の切込み１５ａ，１５ｂに挿入し、筒体１３を筒体１２に連結固定する。筒体１３を筒体１２から切り離す場合は、フラップ１４ａ，１４ｂを切込み１５ａ，１５ｂから引き出した後、稜線２１のミシン目Ｍの部分を切断する。【選択図】図１
2012086872.tif 000002
【特許請求の範囲】
【請求項１】
断面六角形状の筒体が複数個並んだ状態で連結してなることを特徴とする梱包箱。
【請求項２】
前記筒体の断面形状が正六角形状である請求項１記載の梱包箱。
【請求項３】
前記筒体が切り離し可能に連結している請求項１又は２記載の梱包箱。
【請求項４】
筒体と筒体とは、６つの稜線の内１つの稜線で切り離し可能に連結し、且つ、一方の筒体の、連結している稜線と隣り合う稜線には切込みが形成され、他方の筒体の、連結している稜線と隣り合う稜線には、前記切込みと対応する位置にフラップが形成され、
前記フラップを前記切込みに挿入することにより、前記筒体同士が連結固定される請求項３記載の梱包箱。
【請求項５】
筒体と筒体とは、正面及び背面の六角形状の一辺で切り離し可能に連結している請求項３記載の梱包箱。
【請求項６】
前記切り離し可能な一辺にミシン目を介して切り取り片が形成されている請求項５記載の梱包箱。
【発明の詳細な説明】
【技術分野】
【０００１】
本発明は梱包箱に関し、より詳細には積載した状態で輸送・保管するのに適した梱包箱に関するものである。
【背景技術】
【０００２】
トナーカートリッジやトナーボトルなどの略円筒形の物品を梱包する場合には、直方体形状の梱包箱がこれまで広く用いられてきた。具体的には、例えば図７に示すように、輸送時等における外部衝撃から被梱包物６を保護するため、被梱包物６の長手方向両端に発泡スチロールなどの緩衝部材７ａ，７ｂを嵌め入れ、段ボール等で形成された梱包箱８に被梱包物６を収納していた。このような従来の梱包方法では、被梱包物６に比べてかなり大きな梱包箱８を使用しなければならず、輸送及び保管の際に大きな空間を必要としていた。
【０００３】
一方、例えば特許文献１では断面六角形状の梱包箱が提案されている。断面六角形状の梱包箱は、断面四角形状のものよりも強度が高い。また、図８に示すように、断面六角形状の梱包箱９は、断面四角形状の梱包箱８に比べて単位容積当たりの積載個数を多くできる。
【先行技術文献】
【特許文献】
【０００４】
【特許文献１】実用新案登録第3110523号公報
【発明の概要】
【発明が解決しようとする課題】
【０００５】
しかしながら、図９から理解されるように、断面六角形状の梱包箱９では、積載したときの安定性が悪く、下層の梱包箱が、上に積載された梱包箱の重さで水平方向に広がるように移動しやすく、積層状態で輸送や保管する際に荷崩れを起こしやすかった。
【０００６】
本発明はこのような従来の問題に鑑みてなされたものであり、その目的は、断面六角形状であって、荷崩れを起こすことなく積層状態で輸送や保管できる梱包箱を提供することにある。
【課題を解決するための手段】
【０００７】
本発明によれば、断面六角形状の筒体が複数個並んだ状態で連結してなることを特徴とする梱包箱が提供される。
【０００８】
ここで、積層状態としたときの安定性をさらに高める観点からは、前記筒体の断面形状は正六角形状であるのが好ましい。
【０００９】
また、使用者等の利便性を高める観点からは、前記筒体が切り離し可能に連結しているのが好ましい。
【００１０】
筒体同士の連結形態として、６つの稜線の内１つの稜線で切り離し可能に連結し、且つ、一方の筒体の、連結している稜線と隣り合う稜線に切込みを形成し、他方の筒体の、連結している稜線と隣り合う稜線の、前記切込みと対応する位置にフラップを形成し、前記フラップを前記切込みに挿入することにより、前記筒体同士を連結固定するようにしてもよい。
【００１１】
また他の筒体同士の連結形態として、筒体と筒体とを正面及び背面の六角形状の一辺で切り離し可能に連結してもよい。この場合、筒体の切り離しをより容易にする観点から、前記切り離し可能な一辺にミシン目を介して切り取り片を設けてもよい。
【発明の効果】
【００１２】
本発明の梱包箱では、断面六角形状の筒体が複数個並んだ状態で連結しているので、積層状態にしても荷崩れを起こすことがなく、安定して輸送や保管できる。
【００１３】
また、前記筒体の断面形状を正六角形状にすると、積層状態としたときの安定性がさらに高まる。
【００１４】
さらに、前記筒体を切り離し可能に連結していると、例えば使用済みの筒体を順に切り離して廃棄等することができ、使用者等の利便性が向上する。
【図面の簡単な説明】
【００１５】
【図１】本発明に係る梱包箱の一実施例を示す斜視図である。
【図２】図１の梱包箱を積層状態としたときの図である。
【図３】本発明に係る梱包箱の他の実施例を示す断面図である。
【図４】図３の梱包箱を積層状態としたときの図である。
【図５】本発明に係る梱包箱の他の実施例を示す斜視図である。
【図６】本発明に係る梱包箱のさらに他の実施例を示す斜視図である。
【図７】従来の梱包箱の一例を示す斜視図である。
【図８】断面四角形の梱包箱と断面六角形状の梱包箱の積載効率を説明する図である。
【図９】断面六角形状である単体の梱包箱を積層した場合の荷崩れを説明する図である。
【発明を実施するための形態】
【００１６】
以下、本発明に係る梱包箱について図に基づいてさらに詳細に説明するが、本発明はこれらの実施形態に何ら限定されるものではない。
【００１７】
図１に、本発明に係る梱包箱の一実施形態を示す斜視図を示す。図１の梱包箱１ａは、断面が正六角形状の３つの筒体１１，１２，１３が並んだ状態で連結している。なお、同図（ａ）は、３つの筒体１１，１２，１３が連結している状態を示し、同図（ｂ）は、筒体１３が他の筒体から切り離される直前の状態を示している。
【００１８】
筒体と筒体との連結構造について、筒体１２と筒体１３とを例に以下説明する。筒体１２と筒体１３とは、６つの稜線の内１つの稜線２１で連結し、且つその稜線２１にはミシン目Ｍが形成されている。そして、筒体１２の稜線２１と隣り合う稜線２２には２つの切込み１５ａ，１５ｂが形成され、筒体１３の稜線２１と隣り合う稜線２３には、切込み１５ａ，１５ｂと対応する位置にフラップ１４ａ，１４ｂが形成されている。筒体１３は稜線２１を中心に回動自在であり、通常は筒体１３のフラップ１４ａ，１４ｂが筒体１２の切込み１５ａ，１５ｂに挿入され、筒体１３は筒体１２に連結固定されている。一方、筒体１３を筒体１２から切り離す場合は、フラップ１４ａ，１４ｂを切込み１５ａ，１５ｂから引き出して図１（ｂ）に示す状態とした後、稜線２１のミシン目Ｍの部分を切断すればよい。筒体１１と筒体１２とを切り離す場合も同様の操作を行えばよい。
【００１９】
また、図１（ａ）から理解されるように、梱包箱１ａには、両端に位置する筒体１１及び筒体１３にフラップ１６ａ，１６ｂ及び切込み１７ａ，１７ｂが形成されているので、梱包箱１ａのフラップ１６ａ，１６ｂを他の梱包箱の切込みに挿入し、また他の梱包箱のフラップを切込み１７ａ，１７ｂに挿入することによって梱包箱同士を並んだ状態に連結することもできる。
【００２０】
筒体の材質に特に限定はなく、段ボールなど従来公知の材料を用いることができる。
【００２１】
図２に、図１に示した３つの筒体が連結された梱包箱１ａを４段に積み重ね状態図を示す。この図から理解されるように、複数個の筒体を連結した本発明の梱包箱１ａによれば、断面六角形状の筒体を単体で積層した場合に比べ、積層状態を安定して維持することができるようになる。
【００２２】
図３に、本発明に係る梱包箱の他の実施形態を示す。この図に示す梱包箱１ａ’も、断面六角形状の３つの筒体１１，１２，１３が連結しているが、筒体１２と筒体１３との当接する側面が図１に示す梱包箱１ａと相違するため、筒体１２が上方に突出した形状となっている。筒体と筒体とが連結している稜線にはミシン目Ｍが形成され、筒体に形成されたフラップと切込みとによって筒体同士が連結固定される点は前記実施形態のものと同様である。
【００２３】
図４に、図３に示した梱包箱１ａ’を３段に積み重ねた状態図を示す。この図から理解されるように、この実施形態の梱包箱１ａ’についても、断面六角形状の筒体を単体で積層した場合に比べ、積層状態を安定して維持することができる。
【００２４】
図５に、本発明に係る梱包箱のさらに他の実施形態を示す。この図に示す梱包箱１ｃは、断面六角形状の３つの筒体１１，１２，１３が連結している点は前記実施形態と同様であるが、連結構造が前記実施形態と異なる。筒体１２と筒体１３との連結を例に説明すると、筒体１２と筒体１３とは正面及び背面の正六角形の一辺３１，３２で連結し、筒体１２と筒体１３の対向する側面は接触はするものの非接続状態である。そして、筒体１２と筒体１３とが連結する辺３１及び辺３２にはミシン目Ｍが形成されている。
【００２５】
筒体１３を筒体１２から切り離す場合は、筒体１３に力を加えてまず辺３１のミシン目Ｍの部分を切断する（図５（ｂ））。次いで、辺３２のミシン目Ｍの部分を切断すればよい。もちろん、辺３１及び辺３２のミシン目Ｍの部分を同時に切断しても構わない。
【００２６】
図６に、本発明の梱包箱のさらに他の実施形態を示す。この図に示す梱包箱１ｄは、断面六角形状の３つの筒体１１，１２，１３が連結している点、及び正面及び背面の正六角形の一辺３１，３２で連結している点は図５に示した実施形態と同様であるが、辺３１にミシン目Ｍを介して切り取り片４が取り付けられている点が異なる。
【００２７】
筒体１３を筒体１２から切り離す場合は、まず、切り取り片４を前方へ引き出すように引っ張ってミシン目Ｍの部分を切断して切り取り片４を切り取る（図６（ｂ））。これにより、筒体１２と筒体１３との一方の連結がより簡単に解除できるようになる。次に、筒体１３に力を加えてもう一つ辺３２のミシン目Ｍの部分を切断する。なお、筒体１２と筒体１３とが連結する２つの辺３１と辺３２の両方に切り取り片４を設ける構成としてももちろん構わない。
【産業上の利用可能性】
【００２８】
本発明の梱包箱は、断面六角形状の筒体を複数個並んだ状態で連結しているので、荷崩れを起こすことなく積層状態で輸送や保管でき有用である。
【符号の説明】
【００２９】
１ａ，１ｂ，１ｃ，１ｄ    梱包箱
４    切り取り片
Ｍ    ミシン目
１１，１２，１３    筒体
１４ａ，１４ｂ    フラップ
１５ａ，１５ｂ    切込み
１６ａ，１６ｂ    フラップ
１７ａ，１７ｂ    切込み
【図１】
2012086872.tif 000003
【図２】
2012086872.tif 000004
【図３】
2012086872.tif 000005
【図４】
2012086872.tif 000006
【図５】
2012086872.tif 000007
【図６】
2012086872.tif 000008
【図７】
2012086872.tif 000009
【図８】
2012086872.tif 000010
【図９】
2012086872.tif 000011